(57)【要約】【課題】エラーの発生により処理が停止した場合に、エラー復旧時の状態に応じて中断された処理を継続して行うことができる生体組織処理装置を提供する。【解決手段】脂肪組織を細胞処理して細胞懸濁液を生成する処理容器と、細胞処理における異常を検知するセンサモジュール１１と、センサモジュール１１により異常が検知された場合に細胞処理を停止させる異常停止部１６と、脂肪組織の状態に応じて、異常停止部１６により停止された細胞処理の工程上の再開位置を設定する再開位置設定部１７と、異常が解消された場合に、異常停止部１６により停止された細胞処理を、再開位置設定部１７により設定された再開位置から再開させる処理再開部１８とを備える生体組織処理装置を採用する。【選択図】図２
2012040037.tif 000002
【特許請求の範囲】
【請求項１】
生体組織を細胞処理して細胞懸濁液を生成する処理容器と、
前記細胞処理における異常を検知する異常検知手段と、
該異常検知手段により異常が検知された場合に前記細胞処理を停止させる異常停止手段と、
前記生体組織の状態に応じて、前記異常停止手段により停止された前記細胞処理の工程上の再開位置を設定する再開位置設定手段と、
前記異常が解消された場合に、前記異常停止手段により停止された前記細胞処理を、前記再開位置設定手段により設定された再開位置から再開させる処理再開手段とを備える生体組織処理装置。
【請求項２】
前記細胞処理の運転パラメータを入力する入力手段と、
該入力手段に入力された運転パラメータを記憶する記憶手段と、
前記処理再開手段により前記細胞処理が再開される際に、前記記憶手段に記憶された運転パラメータを読み出す読出手段とを備え、
前記処理再開手段が、前記読出部により読み出された運転パラメータを用いて前記細胞処理を再開させる請求項１に記載の生体組織処理装置。
【請求項３】
前記記憶手段が、前記異常停止手段により前記細胞処理が停止された時点における前記細胞処理の履歴情報を記憶する請求項２に記載の生体組織処理装置。
【請求項４】
前記異常停止手段により前記細胞処理が停止された時点における、前記生体組織の状態を表示する表示手段を備える請求項１に記載の生体組織処理装置。
【請求項５】
前記生体組織から最終生成物である細胞を抽出するまでの一連の処理のうち、各処理の完了と未完了のステータスを表示する表示手段を備える請求項１に記載の生体組織処理装置。
【請求項６】
前記再開位置設定手段が、前記異常停止手段により前記細胞処理が停止されてから再開するまでの経過時間に応じて、前記細胞処理の工程上の再開位置を設定する請求項１から請求項５のいずれかに記載の生体組織処理装置。
【請求項７】
前記再開位置設定手段が、前記異常停止手段により前記細胞処理が停止された時点における前記細胞処理の処理時間に応じて、前記細胞処理の工程上の再開位置を設定する請求項１から請求項５のいずれかに記載の生体組織処理装置。
【請求項８】
前記再開位置設定手段が、前記処理容器内の温度に応じて、前記細胞処理の工程上の再開位置を設定する請求項１から請求項５のいずれかに記載の生体組織処理装置。
【発明の詳細な説明】
【技術分野】
【０００１】
本発明は、生体組織処理装置に関するものである。
【背景技術】
【０００２】
従来、ヒトから採取された脂肪組織を消化酵素液とともに容器内で攪拌し、脂肪組織から脂肪由来細胞を単離させる生体組織処理装置が知られている（例えば、特許文献１参照）。
【０００３】
この生体組織処理装置は、ユーザが処理に必要なパラメータを設定することができるインターフェースを備えることが開示されている。また、この生体組織処理装置においてエラーが発生した場合には、ユーザに前述のインターフェースを通じて警告することが開示されている。
【先行技術文献】
【特許文献】
【０００４】
【特許文献１】国際公開第２００５／０１２４８０号
【発明の概要】
【発明が解決しようとする課題】
【０００５】
ところで、生体組織から細胞を抽出する生体組織処理装置において、エラーの発生により処理が停止した場合には、採取した生体組織を無駄にしないため、中断された処理を継続して行うことが望ましい。特に、脂肪細胞は血液に比べて、採取に患者の負担が大きいため、エラー復旧時の状態に応じて処理を継続することが重要である。しかしながら、前述の特許文献１には、エラー発生時の動作は開示されていない。
【０００６】
本発明は、上述した事情に鑑みてなされたものであって、エラーの発生により処理が停止した場合に、エラー復旧時の状態に応じて中断された処理を継続して行うことができる生体組織処理装置を提供することを目的としている。
【課題を解決するための手段】
【０００７】
上記目的を達成するために、本発明は以下の手段を採用する。
本発明は、生体組織を細胞処理して細胞懸濁液を生成する処理容器と、前記細胞処理における異常を検知する異常検知手段と、該異常検知手段により異常が検知された場合に前記細胞処理を停止させる異常停止手段と、前記生体組織の状態に応じて、前記異常停止手段により停止された前記細胞処理の工程上の再開位置を設定する再開位置設定手段と、
前記異常が解消された場合に、前記異常停止手段により停止された前記細胞処理を、前記再開位置設定手段により設定された再開位置から再開させる処理再開手段とを備える生体組織処理装置を採用する。
【０００８】
本発明によれば、処理容器内で行われる細胞処理において、異常が発生した場合には、異常検知手段により異常が検知され、異常停止手段により細胞処理が停止される。一方、再開位置設定手段により、生体組織の状態に応じて、異常停止手段により停止された細胞処理の工程上の再開位置が設定される。そして、異常が解消された場合に、処理再開手段により、再開位置設定手段により設定された再開位置から停止された細胞処理が再開される。
【０００９】
このようにすることで、異常の発生により細胞処理が停止した場合に、停止された細胞処理を、異常復旧時の生体組織の状態に応じて再開させることができ、採取した生体組織を無駄にすることなく、生体組織の細胞処理を継続して細胞懸濁液を生成することができる。
【００１０】
上記発明において、前記細胞処理の運転パラメータを入力する入力手段と、該入力手段に入力された運転パラメータを記憶する記憶手段と、前記処理再開手段により前記細胞処理が再開される際に、前記記憶手段に記憶された運転パラメータを読み出す読出手段とを備え、前記処理再開手段が、前記読出部により読み出された運転パラメータを用いて前記細胞処理を再開させることとしてもよい。
【００１１】
このようにすることで、異常停止手段により細胞処理が停止された場合において、処理再開手段により細胞処理が再開される際に、入力手段に入力されて記憶手段に記憶された運転パラメータが読出手段により読み出され、その運転パラメータに基づいて細胞処理を継続して行うことができる。これにより、異常の発生により細胞処理が停止した場合に、中断された細胞処理を適切な運転条件で再開させることができ、採取した生体組織を無駄にすることなく、生体組織の細胞処理を継続して細胞懸濁液を生成することができる。
【００１２】
上記発明において、前記記憶手段が、前記異常停止手段により前記細胞処理が停止された時点における前記細胞処理の履歴情報を記憶することとしてもよい。
このようにすることで、異常停止手段により細胞処理が停止された場合において、処理再開手段により細胞処理が再開される際に、細胞処理が停止された時点における細胞処理の履歴情報に基づいて細胞処理を継続して行うことができる。これにより、異常の発生により細胞処理が停止した場合に、中断された細胞処理を停止前の状態から継続して再開させることができ、採取した生体組織を無駄にすることなく、生体組織の細胞処理を継続して細胞懸濁液を生成することができる。
【００１３】
上記発明において、前記異常停止手段により前記細胞処理が停止された時点における、前記生体組織の状態を表示する表示手段を備えることとしてもよい。
このようにすることで、細胞処理が停止された時点における、生体組織の状態を表示手段で確認した上で処理を再開させることができ、より適切な条件で中断された細胞処理を再開させることができる。
【００１４】
上記発明において、前記生体組織から最終生成物である細胞を抽出するまでの一連の処理のうち、各処理の完了と未完了のステータスを表示する表示手段を備えることとしてもよい。
このようにすることで、各処理の完了と未完了のステータスを表示手段で確認した上で処理を再開させることができ、より適切な条件で中断された細胞処理を再開させることができる。
【００１５】
上記発明において、前記再開位置設定手段が、前記異常停止手段により前記細胞処理が停止されてから再開するまでの経過時間に応じて、前記細胞処理の工程上の再開位置を設定することとしてもよい。
消化容器内においては、異常停止手段により細胞処理が停止されている間にも、消化酵素液による生体組織の消化は継続して進んでいく。したがって、異常停止手段により細胞処理が停止されてから再開するまでの経過時間に応じて、細胞処理の工程上の再開位置を決定する（すなわち、細胞処理の時間を変化させる）ことで、消化酵素による細胞へのダメージを低減することができる。
【００１６】
上記発明において、前記再開位置設定手段が、前記異常停止手段により前記細胞処理が停止された時点における前記細胞処理の処理時間に応じて、前記細胞処理の工程上の再開位置を設定することとしてもよい。
異常停止手段により細胞処理が停止された時点における細胞処理の処理時間に応じて、細胞処理の工程上の再開位置を設定する（すなわち、細胞処理の時間を変化させる）ことで、消化酵素による細胞へのダメージを低減することができる。
【００１７】
上記発明において、前記再開位置設定手段が、前記処理容器内の温度に応じて、前記細胞処理の工程上の再開位置を設定することとしてもよい。
消化容器内の温度によって消化酵素の働きは変化するため、細胞処理が進む速度は異なる。したがって、消化容器内の温度に応じて、細胞処理の工程上の再開位置を設定する（すなわち、細胞処理の時間を変化させる）ことで、消化酵素による細胞へのダメージを低減することができる。
【発明の効果】
【００１８】
本発明によれば、エラーの発生により処理が停止した場合に、エラー復旧時の状態に応じて中断された処理を継続して行うことができるという効果を奏する。
【図面の簡単な説明】
【００１９】
【図１】本発明の一実施形態に係る生体組織処理装置の全体構成図である。
【図２】図１の生体組織処理装置の制御ブロック図である。
【図３】図１の生体組織処理装置により実行される処理を示すフローチャートである。
【図４】図１の生体組織処理装置の画面例（処理設定画面）である。
【図５】図１の生体組織処理装置の画面例（ユーザ操作画面）である。
【図６】図１の生体組織処理装置の画面例（処理モード設定画面）である。
【図７】図１の生体組織処理装置の画面例（標準処理モードの処理パラメータ表示画面）である。
【図８】図１の生体組織処理装置の画面例（ユーザ設定処理モードの処理パラメータ表示画面）である。
【図９】図１の生体組織処理装置の画面例（プロセス１の処理パラメータ表示画面）である。
【図１０】図１の生体組織処理装置の画面例（履歴画面）である。
【図１１】図１の生体組織処理装置の画面例（標準処理の履歴画面）である。
【図１２】図１の生体組織処理装置の画面例（プロセス１の履歴画面）である。
【図１３】図１の生体組織処理装置の画面例（プロセス２の履歴画面）である。
【図１４】図１の生体組織処理装置の画面例（処理設定画面）である。
【図１５】図１の生体組織処理装置の画面例（ユーザ操作画面）である。
【図１６】図１の生体組織処理装置の画面例（試薬洗浄処理の処理パラメータ表示画面）である。
【発明を実施するための形態】
【００２０】
本発明の一実施形態に係る生体組織処理装置１について、図面を参照して以下に説明する。
本実施形態に係る生体組織処理装置１は、図１に示されるように、脂肪組織等の生体組織を細胞処理するための装置であり、脂肪組織等の生体組織を収容する処理容器２と、該処理容器２内に配置されたフィルタ３と、処理容器２が載置された振とう機４と、処理容器２に接続された配管５と、該配管５の途中位置に設けられたバルブＶ１と、これらを制御する制御部９とを備えている。
【００２１】
ここで、細胞処理とは、生体組織（脂肪組織）から最終生成物である細胞（脂肪由来細胞）を抽出するまでの処理を言い、脂肪組織を処理容器２へ注入する「脂肪組織注入処理」や、処理容器２内で脂肪組織を消化酵素液と攪拌して細胞懸濁液を生成する「消化処理」や、細胞懸濁液を濃縮する「濃縮処理」を含んでいる。より詳しくは、消化処理前の脂肪組織を洗浄する「脂肪組織洗浄処理」や、消化処理後の消化酵素液の濃度を希釈する「消化酵素液濃度希釈処理」をも含んでいる。本発明は、上記の脂肪組織から脂肪由来細胞を抽出するまでの処理全般（＝脂肪組織注入処理、処理脂肪組織洗浄処理、消化処理、濃縮処理、消化酵素液濃度希釈処理を含む）について適用することができる。
【００２２】
処理容器２は、円筒状の容器であり、底面２ａが一方向に傾斜し、底面２ａの最も低い位置に排出口２ｂが開口している。また、処理容器２は、上部が蓋２ｃにより塞がれている。処理容器２は、生体から採取された脂肪組織Ａと該脂肪組織Ａを消化する消化酵素液Ｂとの混合液Ｃを収容するようになっている。処理容器２内では、消化酵素液Ｂによる細胞処理の進行とともに、脂肪組織Ａを構成する脂肪由来細胞等が単離されて浮遊し、細胞懸濁液Ｄが生成される。
【００２３】
フィルタ３は、脂肪組織Ａよりも小さい径寸法の孔を多数有しており、底面２ａの上方に略水平に配置されて、排出口２ｂを覆っている。これにより、脂肪組織Ａは、体内から採取されたままの状態では排出口２ｂからの排出が制限され、消化酵素液Ｂにより脂肪由来細胞等が単離された状態でフィルタ３の孔を通過して排出口２ｂから排出されるようになっている。
【００２４】
振とう機４は、処理容器２を載置する基台４ａと、該基台４ａに垂直に固定された回転軸４ｂを水平面内において回転させるモータ４ｃとを備えている。
基台４ａは、上方および側面の一部が開放された円筒状であり、底面が略水平に配置されている。また、基台４ａの側面は断熱材（図示略）により覆われている。基台４ａの底面にはシートヒータ４ｄが設けられ、処理容器２内を約３７℃に保温するようになっている。
【００２５】
モータ４ｃは、回転軸４ｂを、その姿勢を保持しながら所定の円周軌道に沿って水平回転させるようになっている。
モータ４ｃを作動させると、基台４ａに載置された処理容器２が所定の円周軌道に沿って水平回転させられて、脂肪組織Ａが消化酵素液Ｂ内において撹拌させられることにより消化が促進される。そして、モータ４ｃを停止して処理容器２を静置すると、消化された脂肪組織Ａが上層に、脂肪組織Ａから分離された脂肪由来細胞Ｃを含む消化酵素液Ｂ、すなわち細胞懸濁液が下層に、比重の差により層分離させられる。
【００２６】
配管５は、一端が排出口２ｂに接続され、その途中位置にバルブＶ１が設けられている。
また、生体組織処理装置１には、細胞処理における異常を検知するセンサが設けられている。異常検知手段の具体例としては、処理容器２内の温度を検知する温度センサ（図示略）や、モータ４ｃの回転動作を検知する光センサ（図示略）や、処理容器２内の質量を測定する質量センサ（図示略）や、処理容器２から排出される液体の透過率を測定するための光センサ（図示略）や、遠心分離装置の回転速度を計測するための回転速度センサ（図示略）や、遠心分離装置の振動の大きさを測定する振動センサ（図示略）が挙げられる。
【００２７】
ここで、生体組織処理装置１の制御について図２を参照して説明する。
生体組織処理装置１は、図２に示すように、制御部９と、タッチパネル（入力手段、表示手段）１０と、センサモジュール（異常検知手段）１１と、駆動系モジュール１２と、温度制御モジュール１３と、記憶部（記憶手段）１４と、出力ポート１５とを備えている。
【００２８】
センサモジュール１１は、前述の温度センサや光センサから構成されており、細胞処理における異常を検知するようになっている。
駆動系モジュール１２は、モータ４ｃ等から構成されており、処理容器２を回転駆動ささせて、処理容器２内における脂肪組織Ａの消化を促進するようになっている。
温度制御モジュール１３は、シートヒータ４ｄおよびその温度を調節する温度調節器（図示略）から構成されており、処理容器２内を一定温度（約３７℃）に維持するようになっている。
【００２９】
タッチパネル１０は、入力手段および表示手段としての機能を有しており、細胞処理の運転パラメータ（外部パラメータ）をユーザに入力させるとともに、ユーザによる操作情報と、異常停止部１６により細胞処理が停止された時点における脂肪組織Ａの状態（履歴情報）とを表示するようになっている。
【００３０】
記憶部１４は、タッチパネル１０に入力された運転パラメータと、異常停止部１６により細胞処理が停止された時点における細胞処理の履歴情報と、ユーザによる操作情報とを記憶するようになっている。
出力ポート１５は、記憶部１４に記憶されている運転パラメータ、細胞処理の履歴情報、ユーザによる操作情報を外部に出力するようになっている。
【００３１】
制御部９は、異常停止部（異常停止手段）１６と、再開位置設定部（再開位置設定手段）１７と、処理再開部（処理再開手段）１８と、読出部（読出手段）１９とを機能として備えている。
【００３２】
異常停止部１６は、センサモジュール１１により異常が検知された場合に、細胞処理を停止させるようになっている。具体的には、異常停止部１６は、例えば、処理容器２内の温度が所定の温度以上（例えば約３８℃以上）、あるいは所定の温度以上（例えば約３６℃以下）となったことが、温度センサにより検知された場合に、シートヒータ４ｄの異常として、モータ４ｃを停止させるようになっている。また、異常停止部１６は、例えば、光センサにより検知されるモータ４ｃの定速運転時における回転数が、設定された回転数とは異なる場合に、モータ４ｃの異常として、モータ４ｃを停止させるようになっている。
【００３３】
再開位置設定部１７は、脂肪組織Ａの状態に応じて、異常停止部１６により停止された細胞処理の工程上の再開位置を設定するようになっている。具体的には、再開位置設定部１７は、異常停止部１６により細胞処理が停止されてから再開するまでの経過時間に応じて、細胞処理の工程上の再開位置を設定するようになっている。
【００３４】
ここで、処理容器２内においては、異常停止部１６により細胞処理が停止されている間にも、消化酵素液による脂肪組織Ａの消化は継続して進んでいく。したがって、異常停止部１６により細胞処理が停止されてから再開するまでの経過時間に応じて、細胞処理の工程上の再開位置を決定する（すなわち、細胞処理の時間を変化させる）ことで、過剰な消化時間となることを防止して、消化酵素による細胞へのダメージを低減することができる。
【００３５】
処理再開部１８は、異常が解消された場合に、異常停止部１６により停止された細胞処理を、再開位置設定部１７により設定された再開位置から再開させるようになっている。具体的には、処理再開部１８は、センサモジュール１１による異常の検知が解消された場合に、再開位置設定部１７により設定された再開位置、すなわち、設定された処理工程において設定された運転時間、モータ４ｃを動作させて細胞処理を再開させるようになっている。
【００３６】
読出部１９は、処理再開部１８により細胞処理が再開される際に、記憶部１４に記憶された運転パラメータを読み出すようになっている。処理再開部１８は、読出部１９により読み出された運転パラメータを用いて細胞処理を再開させるようになっている。
【００３７】
上記構成を有する生体組織処理装置１の動作および作用について、図３のフローチャートを参照して以下に説明する。
本実施形態に係る生体組織処理装置１を用いて脂肪組織Ａから脂肪由来細胞を分離するには、振とう機４のモータ４ｃを駆動させて、処理容器２内で脂肪組織Ａを消化酵素液Ｂにより消化する。そして、モータ４ｃを停止して処理容器２内で消化された脂肪組織Ａと細胞懸濁液Ｄとに層分離させる。次に、細胞懸濁液Ｄを排出した後、洗浄液を注入し、再度振とう機４のモータ４ｃを駆動させて撹拌する。上記操作を繰り返すことで、細胞懸濁液を生成する。
【００３８】
この場合において、処理容器２内の温度異常やモータ４ｃの回転異常がセンサモジュール１１により検知されると（ステップＳ１）、モータ４ｃが停止され、その際処理パラメータの履歴（すなわち、細胞処理の履歴情報）が記憶部１４に記憶される（ステップＳ２）。
【００３９】
そして、モータ４ｃが停止されてからの時間の測定が開始され（ステップＳ３）、処理再開時のパラメータ（すなわち、モータ４ｃが停止されてからの経過時間に応じた運転パラメータ）が設定される（ステップＳ４）。
ここで、処理再開時のパラメータは、ユーザによる設定が可能である。そのために、図８に示す「ユーザ設定処理モード」をユーザに提供している。また、図１１〜図１３に示すように、どの処理まで終了したかを示す履歴情報をユーザに提供している。なお、処理再開時のパラメータを装置が全て決定する場合には、ステップＳ４はステップＳ５と同時に実施される。
【００４０】
そして、細胞処理の再開が可能か否かが判定され（ステップＳ５）、細胞処理の再開が可能な場合には、設定されたパラメータにより処理が再開される（ステップＳ６）。
【００４１】
上記のようにして、脂肪組織Ａの細胞処理を終了し、その後、バルブＶ１を開いて配管５から処理容器２内の細胞懸濁液Ｄが回収される。ここで、フィルタ３は、脂肪組織Ａを通過させず、細胞懸濁液Ｄのみを通過させることができる程度の多数の透孔を有しているので、処理容器２内の細胞懸濁液Ｄがフィルタ３を通過して、配管５から処理容器２の外部に排出される。一方、脂肪組織Ａはフィルタ３を通過することができないため、フィルタ３に捕捉され、処理容器２内に残留する。
【００４２】
上記のように回収された細胞懸濁液Ｄは、例えば、洗浄液とともに遠心分離処理を繰り返すことにより洗浄して消化酵素濃度を希釈した後に、遠心分離処理により脂肪由来細胞のみが分離回収される。
【００４３】
以下に、上記のように制御される生体組織処理装置１のタッチパネル１０上に表示される画面について、図４から図１６に示す画面例を用いて説明する。
まず、運転開始前の運転パラメータを設定する段階においては、図４に示す処理設定画面が表示される。図４に示す処理設定画面において、生体組織量（脂肪組織Ａの量）および最終生成物量（細胞懸濁液Ｄの量）を設定すると、設定された生体組織量および最終生成物量に応じて、図５に示すユーザ操作画面にユーザ操作情報（容器の数や全処理時間等）が表示される。
【００４４】
また、図６に示す処理モード設定画面に表示され、ユーザはいずれの処理モードで細胞処理を行うかを選択する。図６に示す処理モード設定画面において、例えば標準処理モードを選択した場合には、図７に示す画面が表示され、標準処理モードにおける運転パラメータが表示される。
【００４５】
ここで、図７に示す処理モード設定画面において、Ｐ１１〜Ｐ４３は運転パラメータを示している。Ｐ１１〜Ｐ１３、Ｐ２１〜Ｐ２２、Ｐ３１〜Ｐ３２、Ｐ４１〜Ｐ４４は、それぞれ、プロセス１、２、３、４の運転パラメータを示している。具体的には、例えば、Ｐ１１は洗浄液注入量、Ｐ１２は洗浄時間、Ｐ１３は洗浄回数、Ｐ２１は洗浄液注入量、Ｐ２２は試薬注入量、Ｐ２３は攪拌時間、Ｐ２４は細胞懸濁液の送液量、Ｐ３１は遠心時間、Ｐ３２は遠心速度、Ｐ４１は遠心時間、Ｐ４２は洗浄液注入量、Ｐ４３は試薬洗浄回数を示している。
【００４６】
また、図６に示す処理モード設定画面において、例えばユーザ設定処理モードを選択した場合には、図８に示す画面が表示され、ユーザ設定処理モードにおける運転パラメータが表示される。
【００４７】
ここで、図８に示す画面において、プロセス１〜４はメインのプロセスを示している。具体的には、例えば、プロセス１は洗浄処理（処理容器２への洗浄液中注入処理，処理容器２の攪拌処理，処理容器２からの排液処理）、プロセス２は消化処理（処理容器２への洗浄液中注入処理，処理容器２への試薬注入処理，処理容器２の攪拌処理，処理容器２から遠心容器への細胞懸濁液の送液処理）、プロセス３は遠心分離処理（遠心分離処理，上清の排液処理）、プロセス４は試薬洗浄処理（遠心容器への洗浄液注入処理，遠心分離処理，上清の排液処理）である。
また、図８に示す画面において、Ｓ１１〜４３はサブプロセスを示しており、例えばＳ１１はプロセス１の１番目のサブプロセスを示している。
【００４８】
図８に示す画面において、例えばプロセス１を押下すると、図９に示す画面が表示され、プロセス１における運転パラメータが表示される。
また、図６に示す画面において、例えば履歴を押下すると、図１０に示す履歴画面が表示される。図１０に示す履歴画面において、例えばＮｏ．１０（標準処理）を押下すると、図１１に示す画面が表示され、Ｎｏ．１０（標準処理）における具体的な履歴情報が表示される。
【００４９】
さらに、図１１に示す履歴画面において、例えばプロセス１を押下すると、図１２に示す画面が表示され、プロセス１における具体的な履歴情報が表示される。また、図１１に示す履歴画面において、例えばプロセス２を押下すると、図１３に示す画面が表示され、プロセス２における具体的な履歴情報が表示される。
【００５０】
上記のように、本実施形態に係る生体組織処理装置１において、何らかの異常により細胞処理が停止してしまった場合には、それまでに行われた処理の履歴情報および運転パラメータがタッチパネル１０に表示されるため、ユーザはこれらの情報を確認した上で処理を再開することができる。
【００５１】
なお、運転開始前の運転パラメータを設定する段階において、最終生成物量（細胞懸濁液Ｄの量）と細胞数を設定する場合には、図１４に示す処理設定画面が表示される。図１４に示す処理設定画面において、最終生成物量（細胞懸濁液Ｄの量）と細胞数を設定すると、設定された最終生成物量と細胞数に応じて、図１５に示すユーザ操作画面にユーザ操作情報（生体組織量や全処理時間等）が表示される。
【００５２】
また、ユーザ設定処理モードを選択し、図８に示す画面において、試薬洗浄処理に該当するプロセスを押下した場合には、図１６に示す画面が表示され、試薬洗浄処理における運転パラメータが表示される。ユーザ設定処理モードにおいても試薬洗浄処理を確実に実施するよう、試薬洗浄処理の運転パラメータを固定とし、ユーザが変更することができないようにロックされている。他の処理においても同様に、特定の運転パラメータをロックすることとしてもよい。
【００５３】
以上のように、本実施形態に係る生体組織処理装置１によれば、処理容器２内で行われる細胞処理において、異常が発生した場合には、センサモジュール１１により異常が検知され、異常停止部１６により細胞処理が停止される。一方、再開位置設定部１７により、脂肪組織Ａの状態やタッチパネルに表示される処理の履歴情報および運転パラメータに応じて、異常停止部１６により停止された細胞処理の工程上の再開位置が設定される。そして、異常が解消された場合に、処理再開部１８により、再開位置設定部１７により設定された再開位置から停止された細胞処理が再開される。
【００５４】
このようにすることで、異常の発生により細胞処理が停止した場合に、停止された細胞処理を、異常復旧時の脂肪組織Ａの状態に応じて再開させることができ、採取した脂肪組織Ａを無駄にすることなく、脂肪組織Ａの細胞処理を継続して細胞懸濁液を生成することができる。
【００５５】
ここで、消化容器内においては、異常停止部１６により細胞処理が停止されている間にも、消化酵素液による脂肪組織Ａの消化は継続して進んでいく。したがって、異常停止部１６により細胞処理が停止されてから再開するまでの経過時間に応じて、細胞処理の工程上の再開位置を決定する（すなわち、細胞処理の時間を変化させる）ことで、過剰な消化時間となることを防止して、消化酵素による細胞へのダメージを低減することができる。
【００５６】
なお、本実施形態に係る生体組織処理装置１において、再開位置設定部１７が、異常停止部１６により細胞処理が停止された時点における細胞処理の処理時間に応じて、細胞処理の工程上の再開位置を設定することとしてもよい。
このようにすることで、過剰な消化時間となることを防止して、消化酵素による細胞へのダメージを低減することができる。
【００５７】
また、本実施形態に係る生体組織処理装置１において、再開位置設定部１７が、処理容器２内の温度に応じて、細胞処理の工程上の再開位置を設定することとしてもよい。
消化容器内の温度によって消化酵素の働きは変化するため、細胞処理が進む速度は異なる。したがって、消化容器内の温度に応じて、細胞処理の工程上の再開位置を設定する（すなわち、細胞処理の時間を変化させる）ことで、過剰な消化時間となることを防止して、消化酵素による細胞へのダメージを低減することができる。
【符号の説明】
【００５８】
１  脂肪組織消化装置
２  処理容器
２ａ  底面
２ｂ  排出口
２ｃ  蓋
３  フィルタ
４  振とう機
４ａ  基台
４ｂ  回転軸
４ｃ  モータ
４ｄ  シートヒータ
５  配管
９  制御部
１０  タッチパネル（入力手段、表示手段）
１４  記憶部（記憶手段）
１６  異常停止部（異常停止手段）
１７  再開位置設定部（再開位置設定手段）
１８  処理再開部（処理再開手段）
１９  読出部（読出手段）
Ａ  脂肪組織
Ｂ  消化酵素液
Ｃ  脂肪組織と消化酵素液の混合液
Ｄ  細胞懸濁液
Ｖ１  バルブ
【図１】
2012040037.tif 000003
【図２】
2012040037.tif 000004
【図３】
2012040037.tif 000005
【図４】
2012040037.tif 000006
【図５】
2012040037.tif 000007
【図６】
2012040037.tif 000008
【図７】
2012040037.tif 000009
【図８】
2012040037.tif 000010
【図９】
2012040037.tif 000011
【図１０】
2012040037.tif 000012
【図１１】
2012040037.tif 000013
【図１２】
2012040037.tif 000014
【図１３】
2012040037.tif 000015
【図１４】
2012040037.tif 000016
【図１５】
2012040037.tif 000017
【図１６】
2012040037.tif 000018